【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
手持ち式イメージングプローブを備える広視野光干渉断層法（ＯＣＴ）イメージングシステムであって、
該手持ち式イメージングプローブが、
先端部を有するプローブハウジングと
該プローブハウジングの主要部分に配置される第一のイメージングモジュールと、
該プローブハウジングの側部に配置されるＯＣＴイメージングモジュールと、
を備え、
前記第一のイメージングモジュールが、
第一の照明路と、
該第一の照明路から分離された第一のイメージング路と、
を備え、
前記第一の照明路が、
前記プローブハウジングの内側に配置された第一の光源と、
複数のセグメントを有しかつ光学窓の周辺部分の背後に配置され、前記第一の光源からの第一の光ビームを受光しかつ該第一の光ビームを眼に向けて方向制御するように構成された光調整要素と、
を備え、
前記第一のイメージング路が、
前記先端部に配置されかつ前記眼の角膜と接触するように構成され、凹面状前面を有する光学窓と、
前記第一のイメージングモジュールの焦点を調整するための第一の合焦レンズと、
前記眼の第一の画像を受け取るように構成された画像センサと、
を備え、
前記ＯＣＴイメージングモジュールが、
第二の照明路と第二のイメージング路を備え、
該第二の照明路と該第二のイメージング路が、
ＯＣＴ光源からのＯＣＴ光ビームの第一の部分を走査するように構成され、かつ前記第一の照明路と前記第一のイメージング路の外側に配置された走査ＭＥＭＳミラーと、
前記第一のイメージング路に配置されかつ前記第一の光ビームを透過させかつ前記ＯＣＴ光ビームの前記第一の部分を反射するように構成されたビーム分割ダイクロイックミラーと、
前記ＯＣＴイメージングモジュールの焦点を調整するための第二の合焦レンズと、
を備える、
ＯＣＴイメージングシステム。
【手続補正２】
【補正対象書類名】明細書
【補正対象項目名】０１４８
【補正方法】変更
【補正の内容】
【０１４８】
本明細書に含まれる実施例および図解は、主題が実施できる特定の実施形態を限定ではなく説明のために示す。上述のように、構造的および論理的な置き換えおよび変更が、本開示の範囲から逸脱することなく行えるように、他の実施形態が利用でき、それらの例および図解から導き出せる。したがって、特定の実施形態が本明細書に図解されかつ記載されたが、同じ目的を達成することを意図する任意の配置が、図示の特定の実施形態に置き換えられてもよい。本開示は、様々な実施形態の任意の適応または変化および全ての適応または変化を包含することを意図している。上記実施形態および本明細書で具体的に説明されていない他の実施形態の組み合わせは、上記の記載を検討すれば当業者には明白である。
以下、本発明の好ましい実施形態を項分け記載する。
実施形態１
手持ち式イメージングプローブを備える広視野光干渉断層法（ＯＣＴ）イメージングシステムであって、
該手持ち式イメージングプローブが、
先端部を有するプローブハウジングと
該プローブハウジングの主要部分に配置される第一のイメージングモジュールと、
該プローブハウジングの側部に配置されるＯＣＴイメージングモジュールと、
を備え、
前記第一のイメージングモジュールが、
第一の照明路と、
該第一の照明路から分離された第一のイメージング路と、
を備え、
前記第一の照明路が、
前記プローブハウジングの内側に配置された第一の光源と、
複数のセグメントを有しかつ光学窓の周辺部分の背後に配置され、前記第一の光源からの第一の光ビームを受光しかつ該第一の光ビームを眼に向けて方向制御するように構成された光調整要素と、
を備え、
前記第一のイメージング路が、
前記先端部に配置されかつ前記眼の角膜と接触するように構成され、凹面状前面を有する光学窓と、
前記第一のイメージングモジュールの焦点を調整するための第一の合焦レンズと、
前記眼の第一の画像を受け取るように構成された画像センサと、
を備え、
前記ＯＣＴイメージングモジュールが、
第二の照明路と第二のイメージング路を備え、
該第二の照明路と該第二のイメージング路が、
ＯＣＴ光源からのＯＣＴ光ビームの第一の部分を走査するように構成され、かつ前記第一の照明路と前記第一のイメージング路の外側に配置された走査ＭＥＭＳミラーと、
前記第一のイメージング路に配置されかつ前記第一の光ビームを透過させかつ前記ＯＣＴ光ビームの前記第一の部分を反射するように構成されたビーム分割ダイクロイックミラーと、
前記ＯＣＴイメージングモジュールの焦点を調整するための第二の合焦レンズと、
を備える、
ＯＣＴイメージングシステム。
実施形態２
前記走査ＭＥＭＳミラーは、前記第一のイメージングシステムの入射瞳の光学的共役面に配置される、実施形態１に記載のＯＣＴイメージングシステム。
実施形態３
前記ＯＣＴイメージングモジュールの開口の実像は、後眼部がイメージングされる時に、前記眼の結晶体の前面近くに配置される、実施形態１に記載のＯＣＴイメージングシステム。
実施形態４
前記第一のイメージング路に配置されかつ前記光学窓に光学的に位置合わせされたイメージングレンズと第一のリレーレンズをさらに備え、前記ビーム分割ダイクロイックミラーは、前記第一のリレーレンズの背後に配置され、前記第二のイメージング路と前記第一のイメージング路は、前記第一のリレーレンズまでのみ光学コンポーネントを共有する、実施形態１に記載のＯＣＴイメージングシステム。
実施形態５
前記ＯＣＴイメージングモジュールの撮影視野は、単一ボリューム取得において少なくとも１２０度×１２０度であるが１８０度×１８０度を超えない、実施形態１に記載のＯＣＴイメージングシステム。
実施形態６
前記第一の光源は、４５０ｎｍと７００ｎｍの間であって４５０ｎｍと７００ｎｍを含む第一の波長範囲を有する、実施形態１に記載のＯＣＴイメージングシステム。
実施形態７
前記第一の光源は、近赤外光域において７００ｎｍから８４０ｎｍまでの第一の波長範囲を有する、実施形態１に記載のＯＣＴイメージングシステム。
実施形態８
前記光学窓と前記ＯＣＴイメージングモジュールは、前記手持ち式イメージングプローブの取り外し可能な前部イメージングモジュールに配置され、該取り外し可能な前部イメージングモジュールは、工具を使用することなく、前記手持ち式イメージングプローブから繰り返し取り外されかつ再び取り付けられるように構成される、実施形態１に記載のＯＣＴイメージングシステム。
実施形態９
前記第一の合焦レンズは、前記第一の光源の波長範囲内の前記第一の光ビームに関する光学分散に対して、および前記第一のイメージングモジュールの撮影視野に関する光学分散に対して色消しされる、実施形態１に記載のＯＣＴイメージングシステム。
実施形態１０
前記第二の合焦レンズは、前記ＯＣＴ光源の波長範囲内の前記ＯＣＴ光ビームに関する光学分散に対して、および前記ＯＣＴイメージングモジュールの撮影視野に関する光学分散に対して色消しされる、実施形態１に記載のＯＣＴイメージングシステム。
実施形態１１
コンソールをさらに備え、該コンソールは、前記ＯＣＴ光源、干渉計、および第一の光ファイバを備え、該第一の光ファイバは、該コンソールと前記手持ち式イメージングプローブに接続され、かつ前記干渉計のサンプルアームを形成するために、前記ＯＣＴ光源からの前記ＯＣＴ光ビームの前記第一の部分を前記手持ち式イメージングプローブに結合するように構成される、実施形態１に記載のＯＣＴイメージングシステム。
実施形態１２
前記ＯＣＴ光源は、波長掃引レーザである、実施形態１１に記載のＯＣＴイメージングシステム。
実施形態１３
前記コンソールは、前記ＯＣＴ光ビームの第二の部分を前記干渉計の参照アームに結合するように構成された第二の光ファイバを備え、該参照アームは、該コンソールに配置される、実施形態１１に記載のＯＣＴイメージングシステム。
実施形態１４
前記手持ち式イメージングプローブは、ＯＣＴ干渉計の参照アームをさらに備え、前記ＯＣＴ光源の第二の部分は、前記第一の光ファイバによって該参照アームに結合される、実施形態１１に記載のＯＣＴイメージングシステム。
実施形態１５
前記干渉計からのデータを処理しかつ前記ＯＣＴイメージングモジュールから前記眼のＯＣＴ画像を生成するように構成されたプロセッサをさらに備える、実施形態１１に記載のＯＣＴイメージングシステム。
実施形態１６
前記手持ち式イメージングプローブは、無線送信器、無線受信器およびディスプレイをさらに備え、該ディスプレイは、前記第一の画像と前記ＯＣＴ画像を同時に提示するように構成される、実施形態１５に記載のＯＣＴイメージングシステム。
実施形態１７
前記第一の光ファイバは、前記ＯＣＴ画像の品質を安定化して向上させるために前記第一の光ファイバの動きの影響を減少するために前記ＯＣＴ光ビームの偏光を維持するように構成される、実施形態１５に記載のＯＣＴイメージングシステム。
実施形態１８
前記第一の光ファイバは、前記光ビームが一つの直線偏光のみで該第一の光ファイバの内を伝わるように、前記光ファイバの軸の一つにおける残留光ビームを除去するために複数の巻きを備える、実施形態１７に記載のＯＣＴイメージングシステム。
実施形態１９
前記コンソールに配置された走査ＭＥＭＳミラーコントローラと、前記コンソールを前記手持ち式イメージングプローブに接続する電気ケーブルとを備え、前記走査ＭＥＭＳミラーコントローラおよび前記走査ＭＥＭＳミラーが該電気ケーブルを介して同期される、実施形態１５に記載のＯＣＴイメージングシステム。
実施形態２０
前記コンソールに配置された走査ＭＥＭＳミラーコントローラ、前記コンソールに配置されかつ電気信号を光信号に変換するように構成された電気−光コンバータ、前記手持ち式イメージングプローブに配置されかつ前記光信号を前記電気信号に戻すように変換するように構成された光−電気コンバータ、並びに前記手持ち式イメージングプローブおよび前記コンソールに接続された第三の光ファイバを備え、前記第三の光ファイバが前記光信号を送信するように構成され、走査ミラーコントローラ、走査ミラードライバおよび前記走査ＭＥＭＳミラーが前記第三の光ファイバを介して同期される、実施形態１５に記載のＯＣＴイメージングシステム。
実施形態２１
一方が前記コンソールに配置されかつ他方が前記手持ち式イメージングプローブに配置された一対の無線トランスポンダを備え、前記走査ミラーコントローラおよび前記走査ＭＥＭＳミラーが、前記無線トランスポンダを介して無線で同期される、実施形態１５に記載のＯＣＴイメージングシステム。
実施形態２２
前記コンソールに配置された第三の光源と該コンソールに配置されたビームコンバイナとをさらに備え、該ビームコンバイナは、前記ＯＣＴ光源と該第三の光源の両方を前記第一の光ファイバを介して前記手持ち式イメージングプローブに結合するように構成され、該第三の光源は第三の光ビームを有し、該第三の光源は第三の照明路と第三のイメージング路とを有し、前記第三の照明路は前記ＯＣＴイメージングモジュールの前記第二の照明路に沿っており、前記第三のイメージング路は前記第一のイメージングモジュールの前記第一のイメージング路に沿っており、前記ビーム分割ダイクロイックミラーは、前記第三の光ビームを部分的に反射しかつ部分的に透過するように構成される、実施形態１５に記載のＯＣＴイメージングシステム。
実施形態２３
前記第三の光ビームの軌跡は、前記ＯＣＴ光ビームのイメージング位置の位置決めを提供しかつ前記第二の合焦レンズを制御するためにフィードバックを提供するように構成され、前記第一の合焦レンズの第一の調整および前記第二の合焦レンズの第二の調整が該フィードバックを介して同期される、実施形態２２に記載のＯＣＴイメージングシステム。
実施形態２４
ＯＣＴイメージングモジュールを有する手持ち式イメージングプローブと、コンソールとを備える広視野光干渉断層法（ＯＣＴ）イメージングシステムであって、
前記手持ち式イメージングプローブが、
先端部を有するプローブハウジングと、
前記先端部に配置され、眼の角膜と接触するように構成され、凹面状前面を有する光学窓と、
光源からの光ビームの第一の部分を走査するように構成された走査ＭＥＭＳミラーと、
イメージング路にある一つ以上のレンズと、
を備え、
前記コンソールが、
前記光源と、
前記眼のＯＣＴ画像の品質を安定化しかつ向上するために前記光源からの光ビームを前記手持ち式イメージングプローブに結合しかつ動きの影響を減少するように構成された少なくとも一つの偏光保持ファイバを備える干渉計と、
該干渉計からのデータを処理しかつ前記ＯＣＴイメージングモジュールから前記ＯＣＴ画像を生成するように構成されたプロセッサと、
走査ＭＥＭＳミラーコントローラと、
前記コンソールを前記手持ち式イメージングプローブに接続しかつ前記走査ＭＥＭＳミラーを前記光源および前記走査ＭＥＭＳミラーコントローラと同期させるように構成されたデータリンクと、
を備える、
ＯＣＴイメージングシステム。
実施形態２５
前記ＯＣＴイメージングモジュールの撮影視野は、単一ボリューム取得において少なくとも１２０度×１２０度であるが１８０度×１８０度を超えない、実施形態２４に記載のＯＣＴイメージングシステム。
実施形態２６
前記一つ以上のレンズは、前記光源の波長範囲内の前記光ビームに関する光学分散に対して色消しされる、実施形態２４に記載のＯＣＴイメージングシステム。
実施形態２７
前記一つ以上のレンズは、前記ＯＣＴイメージングモジュールの撮影視野に関する光学分散に対して色消しされる、実施形態２４に記載のＯＣＴイメージングシステム。
実施形態２８
前記光源は波長掃引レーザである、実施形態２４に記載のＯＣＴイメージングシステム。
実施形態２９
前記少なくとも一つの偏光保持ファイバは、前記光ビームが一つの直線偏光のみで伝わるように前記偏光保持ファイバの軸の一つにおいて残留ＯＣＴ光ビームを除去するために複数の巻きを備える、実施形態２４に記載のＯＣＴイメージングシステム。
実施形態３０
前記データリンクは電気ケーブルである、実施形態２４に記載のＯＣＴイメージングシステム。
実施形態３１
前記データリンクは第二の光ファイバケーブルである、実施形態２４に記載のＯＣＴイメージングシステム。
実施形態３２
前記データリンクは無線である、実施形態２４に記載のＯＣＴイメージングシステム。
実施形態３３
無線送信器、無線受信器およびディスプレイをさらに備え、該ディスプレイは、前記ＯＣＴ画像を提示するように構成される、実施形態２４に記載のＯＣＴイメージングシステム。
実施形態３４
ＯＣＴイメージングモジュールを有する手持ち式イメージングプローブと、コンソールとを備える広視野光干渉断層法（ＯＣＴ）イメージングシステムであって、
該手持ち式イメージングプローブが、
先端部を有するプローブハウジングと、
前記先端部に配置され眼の角膜と接触するように構成され、凹面状前面を有する光学窓と、
光源からの光ビームの第一の部分を走査するように構成された走査ＭＥＭＳミラーと、
イメージング路にあり、前記光源の波長範囲内の前記光ビームに関する光学分散に対しておよび前記ＯＣＴイメージングモジュールの撮影視野に関する光学分散に対して色消しされる一つ以上のレンズと、
を備え、
前記コンソールが、
前記光源と、
複数のファイバを備える干渉計と、
前記干渉計からのデータを処理しかつ前記ＯＣＴイメージングモジュールから前記眼のＯＣＴ画像を生成するように構成されたプロセッサと、
走査ＭＥＭＳミラーコントローラと、
前記コンソールを前記手持ち式イメージングプローブに接続し、かつ前記走査ＭＥＭＳミラーを前記光源および前記走査ＭＥＭＳミラーコントローラと同期させるように構成されたデータリンクと、
を備える、
ＯＣＴイメージングシステム。
実施形態３５
前記ＯＣＴイメージングモジュールの撮影視野は、単一ボリューム取得において少なくとも１２０度×１２０度であるが１８０度×１８０度を超えない、実施形態３４に記載のＯＣＴイメージングシステム。
実施形態３６
前記光源は波長掃引レーザである実施形態３４に記載のＯＣＴイメージングシステム。
実施形態３７
前記データリンクは別の光ファイバケーブルである、実施形態３４に記載のＯＣＴイメージングシステム。
実施形態３８
前記データリンクは無線である、実施形態３４に記載のＯＣＴイメージングシステム。
実施形態３９
無線送信器、無線受信器およびディスプレイをさらに備え、該ディスプレイは前記ＯＣＴ画像を提示するように構成される、実施形態３４に記載のＯＣＴイメージングシステム。
実施形態４０
広視野光干渉断層法（ＯＣＴ）画像を得る方法であって、該方法は、
手で手持ち式イメージングプローブを保持するステップと、
前記手持ち式イメージングプローブの先端部に配置される光学窓を眼の角膜と接触させるステップと、
第一の照明路に沿って前記光学窓の周辺部分の背後に配置された光調整要素を介して第一の光源から伝送された第一の光ビームで前記眼を照明するステップと、
前記光調整要素で前記第一の光ビームを方向制御するステップと、
前記第一の照明路から分離された第一のイメージング路を通って前記眼の第一の画像を得るステップと、
前記第一の照明路と前記第一のイメージング路の外側に配置された走査ＭＥＭＳミラーでＯＣＴ光源からのＯＣＴ光ビームを走査するステップと、
ビーム分割ダイクロイックミラーからの前記ＯＣＴ光ビームの第一の部分を前記眼に反射し、かつ前記眼からの反射されたＯＣＴ光ビームを受光するステップと、
前記眼の前記ＯＣＴ画像を得るステップと、
を備える方法。
実施形態４１
前記眼の第一の画像を得るステップは、前記第一の光源の波長範囲内の前記第一の光ビームに関する光学分散に対しておよび前記第一の画像の撮影視野に関する光学分散に対して色消しされる一つ以上のレンズで前記眼の前記第一の画像を得るステップを備える、実施形態４０に記載の方法。
実施形態４２
前記眼の前記ＯＣＴ画像を得るステップは、前記ＯＣＴ光源の波長範囲内の前記ＯＣＴ光ビームに関する光学分散に対しておよび前記ＯＣＴ画像の撮影視野に関する光学分散に対して色消しされる一つ以上のレンズで前記眼の前記ＯＣＴ画像を得るステップを備える、実施形態４０に記載の方法。
実施形態４３
前記ＯＣＴ光源として波長掃引レーザを使用するステップをさらに備える、実施形態４０に記載の方法。
実施形態４４
前記手持ち式イメージングプローブのディスプレイに前記第一の画像と前記ＯＣＴ画像を同時に提示するステップをさらに備える、実施形態４０に記載の方法。
実施形態４５
前記ＯＣＴ画像の品質を安定化して向上させるために動きの影響を減少するために、前記ＯＣＴ光源からの前記ＯＣＴ光ビームを偏光保持光ファイバで前記手持ち式イメージングプローブに結合するステップをさらに備える、実施形態４０に記載の方法。
実施形態４６
第三の光源からの第三の光ビームで前記ＯＣＴ光ビームのイメージング位置の位置決めを提供するステップをさらに備え、前記第三の光ビームは、ＯＣＴイメージングモジュールの照明路に沿う第三の照明路と第一のイメージングモジュールの前記第一のイメージング路に沿う第三のイメージング路とを有する、実施形態４０に記載の方法。
実施形態４７
前記第一の画像の第一の焦点調整および前記ＯＣＴ画像の第二の焦点調整を前記第三の光ビームの軌跡からのフィードバックと同期させるステップをさらに備える、実施形態４６に記載の方法。
実施形態４８
広視野光干渉断層法（ＯＣＴ）画像を得る方法であって、該方法は、
手で手持ち式イメージングプローブを保持するステップと、
該手持ち式イメージングプローブの先端部に配置された光学窓を眼の角膜と接触させるステップと、
動きの影響を減少するためおよびＯＣＴ画像の品質を向上させるために偏光保持ファイバによって前記手持ち式イメージングプローブに結合されたＯＣＴ光源からのＯＣＴ光ビームで前記眼を照明するステップと、
走査ＭＥＭＳミラーを使用して前記ＯＣＴ光ビームの第一の部分を走査するステップと、
前記眼の前記ＯＣＴ画像を得るステップと、
を備える方法。
実施形態４９
前記眼の前記ＯＣＴ画像を得るステップは、前記ＯＣＴ光源の波長範囲内の前記ＯＣＴ光ビームに関する光学分散に対しておよび前記ＯＣＴ画像の撮影視野に関する光学分散に対して色消しされる一つ以上のレンズで前記眼の前記ＯＣＴ画像を得るステップを備える、実施形態４８に記載の方法。
実施形態５０
前記ＯＣＴ光源として波長掃引レーザを使用するステップをさらに備える、実施形態４８に記載の方法。
実施形態５１
前記手持ち式イメージングプローブのディスプレイに前記ＯＣＴ画像を提示するステップをさらに備える、実施形態４８に記載の方法。
実施形態５２
ＯＣＴ光ビームで前記眼を照明するステップは、前記偏光保持光ファイバの軸の一つにおいて残留ＯＣＴ光ビームを除去するために複数の巻きを有する前記偏光保持光ファイバで、前記ＯＣＴ光源からの前記ＯＣＴ光ビームを前記手持ち式イメージングプローブに結合することによって、前記ＯＣＴ光ビームで前記眼を照明するステップを備える、実施形態４８に記載の方法。
実施形態５３
広視野光干渉断層法（ＯＣＴ）画像を得る方法であって、該方法は、
手で手持ち式イメージングプローブを保持するステップと、
該手持ち式イメージングプローブの先端部に配置される光学窓を眼の角膜と接触させるステップと、
前記手持ち式イメージングプローブに光学的に結合されたＯＣＴ光源からのＯＣＴビームで該眼を照明するステップと、
走査ＭＥＭＳミラーを使用して前記ＯＣＴ光ビームの第一の部分を走査するステップと、
イメージング路にある一つ以上のレンズであって、前記ＯＣＴ画像の品質を向上させるために前記ＯＣＴ光源の波長範囲内の前記光ビームに関する光学分散に対しておよび前記手持ち式イメージングプローブに配置されたＯＣＴイメージングモジュールの撮影視野に関する光学分散に対して色消しされる一つ以上のレンズを通して前記ＯＣＴ画像を得るステップと、
を備える方法。
実施形態５４
前記ＯＣＴ光源として波長掃引レーザを使用するステップをさらに備える、実施形態５３に記載の方法。
実施形態５５
前記手持ち式イメージングプローブのディスプレイに前記ＯＣＴ画像を提示するステップをさらに備える、実施形態５３に記載の方法。